(57)【特許請求の範囲】
【請求項１】
配信装置からデータが配信され、そのデータを保存できない場合に配信装置に配信停止要求を送出する被配信機器において、
前記配信停止要求が送出されたときに、そのことを文字とアイコンにより表示する表示手段を有し、文字は所定の時間のみ表示され、アイコンはその後も継続して表示されることを特徴とする被配信機器。
【請求項２】
配信再開要求手段を有し、前記配信装置に配信再開要求を送出したときに前記表示手段による表示を停止させることを特徴とする請求項１に記載の被配信機器。
【請求項３】
データの保存が可能になると自動的に、あるいは手動操作にともない配信再開要求が送出されることを特徴とする請求項１または２に記載の被配信機器。
【請求項４】
前記配信装置から送出される未配信データ件数情報を表示することを特徴とする請求項１に記載の被配信機器。
【請求項５】
配信停止状態中に配信装置が配信を再開した場合に、前記表示手段による表示を一時停止させることを特徴とする請求項１に記載の被配信機器。
【発明の詳細な説明】
【０００１】
【発明の属する技術分野】
本発明は、移動体電話機などに用いられるデータ配信停止状態表示方法に関する。
【０００２】
【従来の技術】
携帯電話機を用いた新規な文字メッセージ転送サービスが開始されている。このサービスにおいては、図２に示すように、送信元電話機Ａは配信先電話番号を付して文字メッセージを電話（通信）会社のメッセージセンタＣに送信する。すると、文字メッセージはメッセージセンタＣに保存され、その後、配信先電話機Ｂが受信するまでセンタＣから配信先電話機Ｂに繰り返し文字メッセージが送信される。したがって、配信先電話機Ｂが圏外にいたり電源を切っている場合でも繰り返し文字メッセージが送信されるため、文字メッセージを確実に配信先電話機Ｂに配信することができる。
【０００３】
このようなサービスにおいて、センタＣから配信先電話機Ｂに文字メッセージが配信されると、配信先電話機Ｂにおいては直接文字メッセージを表示部に表示することもできるが、通常は電話機Ｂ内のメモリに文字メッセージを保存している。したがって、電話機所有者は、その後都合の良いときにキー操作で文字メッセージを表示部に表示させて確認する。
【０００４】
前記文字メッセージが配信先電話機Ｂに配信されたとき、電話機Ｂ内のメモリに空きがないときは、文字メッセージを保存できず、文字メッセージを受信できない。そのとき、配信先電話機Ｂは、前記図２に示すように、センタＣに対して配信停止要求を送出し、センタＣは文字メッセージの配信を停止する。また、配信先電話機Ｂは、「メモリフルのため受信できない」と表示部に表示して、使用者に文字メッセージを受信できないことを知らせる。この表示を見て使用者がメモリ中のメッセージを一部削除してメモリ内に空きを作れば、電話機Ｂからは前記図２に示すように配信再開要求がセンタＣに送出され、センタＣはメッセージの配信を再開し、電話機Ｂは文字メッセージを受信できる。この配信再開要求は自動、手動ともに行うことができるが、基本的には受信側で任意にメッセージ配信要求を行わない。
【０００５】
【発明が解決しようとする課題】
しかるに、従来の携帯電話機においては、前記の「メモリフルのため受信できない」という表示が、配信時の４秒程度の一瞬にしか行われないために、これを見過ごすことが多かった。したがって、メモリが満杯で受信できないことに気付かず、いつまで待っても文字メッセージを受信できないという事態が生じたり、電話機が故障しているのではないかと誤解されることもあった。また、前述した配信停止中の表示を見逃しているかもしれないという不安があるため、ユーザによっては配信再開要求を繰り返し行うこともあった。
【０００６】
本発明は上記の点に鑑みなされたもので、その目的は、配信停止要求が出て配信停止になっていることを正確に使用者に知らせることができるデータ配信停止状態表示方法を提供することにある。
【０００７】
【課題を解決するための手段】
本発明の被配信機器は、配信装置からデータが配信され、そのデータを保存できない場合に配信装置に配信停止要求を送出する被配信機器において、前記配信停止要求が送出されたときに、そのことを文字とアイコンにより表示する表示手段を有し、文字は所定の時間のみ表示され、アイコンはその後も継続して表示されることを特徴とする。
この被配信機器において、好ましい形態として、配信再開要求手段を有し、前記配信装置に配信再開要求を送出したときに前記表示手段による表示を停止させる。
また、データの保存が可能になると自動的に、あるいは手動操作にともない配信再開要求が送出される。
さらに、前記配信装置から送出される未配信データ件数情報を表示する。
さらに、配信停止状態中に配信装置が配信を再開した場合に、前記表示手段による表示を一時停止させる。
【０００８】
【発明の実施の形態】
次に添付図面を参照して本発明の実施の形態を詳細に説明する。実施の形態は、図２に示したようなデータ転送システムにおいて、配信先電話機Ｂに本発明の配信停止状態表示方法を用いた場合である。
【０００９】
図３は、前記配信先電話機Ｂとして用いられる携帯電話機を示す回路図である。この図において、アンテナが接続される送受信回路部１０は、携帯電話機における送受信処理をマイクロコンピュータを内蔵した制御部１２に制御されることにより行う回路である。すなわち、送受信回路部１０は音声メッセージや文字メッセージまたは制御信号等を高周波により変調してアンテナより送出したり、アンテナより受信した音声メッセージや文字メッセージまたは制御信号等を復調して制御部１２に出力する。
【００１０】
制御部１２は、ＲＯＭ１４に記憶されたプログラムに従って、操作キー２４および送受信回路部１０からの制御信号により動作し、送受信回路部１０、ＬＣＤドライバ１８および音声処理部２６を制御する。また、制御部１２はＲＡＭ１６に接続され、ＲＡＭ１６をＲＯＭ１４に記憶されたプログラムを実行するときのワークエリアとして使用する。さらに、制御部１２はＥ2 ＰＲＯＭ１７に接続され、メッセージセンタから受信した文字メッセージ等を記憶する。Ｅ2 ＰＲＯＭ１７はメモリダイヤルのメモリとしても使用され、複数の電話番号および氏名等も記憶する。
【００１１】
ＬＣＤドライバ１８は制御部１２の制御に従ってＬＣＤである表示部２２を駆動してこれの表示を行う。すなわち、ＬＣＤドライバ１８は、制御部１２からの制御信号に対応する文字パターン（英、数字も含む）やアイコン（図形）パターンをフォントＲＯＭ２０から読み出し、表示部２２に表示する。音声処理部２６は、スピーカ２８およびマイク３０に接続され、制御部１２から入力した音声信号を増幅してスピーカ２８で出力したり、マイク３０で入力した音声信号を増幅して制御部１２に出力する処理を行う。
【００１２】
以上のように構成された携帯電話機は、図２のメッセージセンタＣから文字メッセージが配信されると、配信と同時に文字メッセージを直接表示部２２に表示することもできるが、通常は、Ｅ2 ＰＲＯＭ１７のメモリに文字メッセージを記憶する。したがって、携帯電話機の使用者は、その後、操作キー２４を操作してＥ2 ＰＲＯＭ１７から文字メッセージを読出し、表示部２２に表示することにより、文字メッセージの内容を確認する。
【００１３】
一方、メッセージセンタＣから携帯電話機に文字メッセージが配信されたとき、Ｅ2 ＰＲＯＭ１７のメモリが満杯のときは、該メモリに文字メッセージを保存できず、文字メッセージを受信できない。すると、携帯電話機は、図２に示すように、配信停止要求をセンタＣに送出し、センタＣは文字メッセージの配信を停止する。また、携帯電話機は、表示部２２に、メモリが満杯でメッセージを受信できない旨の（換言すれば、配信停止要求が送出されたことの）表示を行う。すなわち、表示部２２には、図４に示すように、「メモリフルで受信できませんでした」の文字表示と、紙ヒコーキのアイコン４１の点滅が表示される。このうち、「メモリフルで受信できませんでした」の文字表示は、４秒程度で消滅するが、アイコン４１の点滅はその後継続して表示され、使用者にメモリ満杯でメッセージ受信不能を知らせ続ける。
【００１４】
したがって、携帯電話機の使用者は、配信直後でなくても、気付いたときに、表示部２２を見てアイコン４１が点滅していることにより、メモリが満杯でメッセージを受信できないことを知ることができる。すると、使用者は、操作キー２４を操作してＥ2 ＰＲＯＭ１７中のメッセージを一部削除してメモリ中に空きを作ることにより、文字メッセージを再度受信可能とする。すると、携帯電話機は、図２に示すようにセンタＣに配信再開要求を自動送出し、センタＣは文字メッセージの配信を再開する。同時に、携帯電話機の表示部２２においては、アイコン４１の点滅表示が消え、文字メッセージが再度受信可能となったことを使用者に知らせる。
【００１５】
以上のような動作を図１のフローチャートを参照してより詳細に説明する。ステップＳ１で文字メッセージを受信すると、ステップＳ２でそのデータが正しいか判断され、もし網側でのデータ化け等によりデータが正しくないと判断されると、ステップＳ３で受信不能の応答を図２のメッセージセンタＣに送出して終了となる。
【００１６】
一方、ステップＳ２でデータが正しいと判断されると、ステップＳ４に進んで文字メッセージの保存が必要か判断され、もし保存が不要のときはステップＳ７に進んで直接文字メッセージが図３の表示部２２に表示され、終了となる。この保存の不要・必要は予め携帯電話機内のメモリに操作キー２４によって設定されている。一方、ステップＳ４で保存が必要と判断されると、ステップＳ５に進んで保存が可能か判断され、もしメモリ（図３のＥ2 ＰＲＯＭ１７）に空きがあって保存が可能ならばステップＳ６に進んでメモリに文字メッセージが保存される。したがって、その後、使用者が図３の操作キー２４の操作でメモリから文字メッセージを読みだせば、該文字メッセージがステップＳ７で表示部２２に表示されて、内容を確認できる。
【００１７】
一方、ステップＳ５でメモリが満杯故に保存ができないと判断されたときは、ステップＳ８に進んで配信停止要求をセンタＣに送出する。同時に、ステップＳ９で表示部２２に図４に示すように「メモリフルで受信できませんでした」の文字表示と、アイコン４１の点滅を発生させる。その後、文字表示は消されるが、アイコン４１の点滅表示は残され、ステップＳ１０でメモリの状態を継続して監視し、もし使用者がメモリから文字メッセージを一部削除してメモリに空きが生じたならば、ステップＳ１１に移ってメッセージセンタＣに配信再開要求を自動送出すると同時にステップＳ１２で、それまで継続して点滅している表示部２２のアイコン４１（文字表示は既に消滅している）を消滅させる。その後、終了となる。
【００１８】
なお、上記の動作では、メモリに空きができると、配信再開要求が自動的に図２のセンタＣに送出されるように説明したが、図３の操作キー２４の操作により、即ち手動操作により配信再開要求をセンタＣに送出することもできる。
【００１９】
また、図２のセンタＣは図５に示すようにタイマ機能を有して、携帯電話機から配信停止要求を受信した後（ステップＳ２１，Ｓ２３）、一定時間後に自動的に配信を再開するが（ステップＳ２２，２４）、この配信が再開されたときに携帯電話機においては、表示部２２におけるアイコン４１の点滅表示を一時停止させるようにする。しかし、アイコン４１の点滅表示が停止しても、未だメモリが満杯で配信された文字メッセージを受信できないときは、再度配信停止要求が出て（ステップＳ２３）アイコン４１の点滅および文字表示が再度表示部２２に出現することになるが、例えば４秒程度で文字表示のみが消える。
【００２０】
上記の実施の形態では、文字メッセージが配信される被配信機器が携帯電話機１つの場合であるが、例えば携帯電話機にパソコンを接続した際に、そのパソコン（Ｅ−ｍａｉｌ）あるいはサーバー等が被配信機器となり、それら被配信機器が複数となる場合がある。その場合のメッセージ配信要求動作は、図６のフローチャートに示すように、ステップＳ３１で、すべての被配信機器から配信再開要求が出力されたか判断し、もしすべての被配信機器から配信再開要求が出力されたならばステップＳ３２に進んで表示部に表示された配信停止状態表示としてのアイコンの点滅表示を終了させるようにする。センタＣには、すべての被配信機器から配信再開要求が出力されたときに、配信再開要求が送出される。また、被配信機器が複数ある場合は、携帯電話機の表示部内に、各被配信機器毎の配信停止状態表示（表示手段）を設けることもでき、そのようにすれば各機器毎で配信停止の状態を知ることができる。
【００２１】
また、図５のタイマによる再配信時等において、図２のセンタＣからの送信情報中に未配信メッセージ件数を表す情報を携帯電話機あるいはパソコン、サーバー等の被配信機器に送出することもできる。そのようにすれば、使用者がメモリに空きを作る際、どの受信側機器でどの程度メッセージを削除して空きを作れば未配信メッセージを保存可能とすることができるか、また、配信を再開させられるか前記の情報から目安がつくので、非常に便利となる。その際、被配信機器が複数ある場合は、各被配信機器毎の未配信メッセージ件数情報をセンタＣの送信情報中に入れ、送出するようにすれば、各機器毎に削除程度を正確に把握でき、より便利となる。
【００２２】
なお、以上は、携帯電話機を用いた文字メッセージ転送サービスにおいて本発明を用いた場合であるが、本発明は同様な文字メッセージ転送システム、あるいは画像や音声情報を含むデータ転送（随時配信されてくる）システム全般において用いることができる。
【００２３】
【発明の効果】
以上詳細に説明したように本発明によれば、メモリが満杯で被配信機器から配信装置に配信停止要求が出たときに、そのことを以後継続して表示する表示手段を前記被配信機器に設けたので、配信直後でなくても以後継続して正確に使用者に配信停止状態を知らせることができる。したがって、使用者は、配信直後でなくても、気付いたときに、表示手段による配信停止状態表示を見て配信再開の操作を確実に行うことができるので、配信停止状態になっているにも係わらず配信を待ち続けたり、故障と誤解するなどの使い勝手の悪さを解決することができる。
【図面の簡単な説明】
【図１】本発明の実施の形態に係る第１の動作を説明するためのフローチャート。
【図２】携帯電話機を用いた文字転送サービスを説明するための図。
【図３】本発明の実施の形態で用いられる携帯電話機を示す回路図。
【図４】本発明の実施の形態に係る表示部の表示例を示す正面図。
【図５】本発明の実施の形態に係る第２の動作を説明するためのシーケンス図。
【図６】本発明の実施の形態に係る第３の動作を説明するためのフローチャート。
【図１】
0003746162.tif 000002
【図２】
0003746162.tif 000003
【図３】
0003746162.tif 000004
【図４】
0003746162.tif 000005
【図５】
0003746162.tif 000006
【図６】
0003746162.tif 000007